【事件の表示】
　特許第２７５２５２６号「写真処理方法」の請求項１ないし４に係る特許に対する特許異議の申立てについて、次のとおり決定する。
【結論】
　訂正を認める。
　特許第２７５２５２６号の請求項１ないし３に係る特許を維持する。
【理由】
（１）手続きの経緯
　本件特許第２７５２５２６号の請求項１〜４に係る発明についての出願は平成３年３月１９日にされ、平成１０年２月２７日に設定登録され、その後、中森　繁雄より特許異議の申立てがなされ、取消理由通知がなされ、その指定期間内である平成１１年４月２７日に訂正請求がなされたものである。
（２）訂正の適否
ア．訂正請求の内容
　平成１１年４月２７日付け訂正請求の内容は以下のとおりである。
（１）特許請求の範囲を下記のとおり訂正する。
「【請求項１】フルサイズプリント指定コマと、パノラマサイズプリント指定コマとが混在するフィルムを印画紙へ焼付けるための写真処理方法であって、フィルムマスク領域、印画紙マスク領域、前記印画紙の送り量及び引伸倍率を含むプリント条件を、前記フルサイズプリント指定コマ用とパノラマサイズプリント指定コマ用とに切換可能とし、測光したネガフィルムの幅方向の濃度分布による画像コマエッジ部分の位置によってフルサイズかパノラマサイズかを判別することで各コマのプリント指定サイズを検出し、この検出結果に基づいてプリント条件を切り換えることを特徴とする写真処理方法。
　【請求項２】フルサイズプリント指定コマと、パノラマサイズプリント指定コマとが混在するフィルムを印画紙へ焼付けるための写真処理方法であって、フィルムマスク領域、印画紙マスク領域、前記印画紙の送り量及び引伸倍率を含むプリント条件を、前記フルサイズプリント指定コマ用とパノラマサイズプリント指定コマ用とに切換可能とし、測光したネガフィルムの幅方向の濃度分布による画像コマエッジ部分の位置によってフルサイズかパノラマサイズかを判別することで焼付位置に順次位置決めされる各コマのプリント指定サイズを検出し、この検出結果に基づいてプリント条件を切り換えながら焼付処理することを特徴とする写真処理方法。
　【請求項３】前記各コマのプリント指定サイズをプリント工程前に記憶媒体へ記憶しておき、この記憶媒体からの情報に基づいて各コマのプリント指定サイズを検出することを特徴とする請求項１又は２記載の写真処理方法。」
（２）明細書の段落番号【０００５】を以下の如く訂正する。
「【０００５】
　【発明が解決しようとする課題】
　しかし、フルサイズプリントコマとパノラマサイズプリントコマとが混在するフィルムの焼付においては、フィルムのセットを２度行わなければならない。言い換えれば、１回のバッチ処理で処理を終了させることができない。」
（３）明細書の段落番号【０００６】を以下の如く訂正する。
「【０００６】
　本発明は上記事実を考慮し、フルサイズプリントコマとパノラマサイズプリントコマとが混在するフィルムを各コマに対応するように焼付条件を切換ながら焼付処理することができ、１回のバッチ処理で効率良くプリントできる写真処理方法を得ることが目的である。」
（３）明細書の段落番号【０００７】を以下の如く訂正する。
「【０００７】
　【課題を解決するための手段】
　請求項１に記載の発明は、フルサイズプリント指定コマと、パノラマサイズプリント指定コマとが混在するフィルムを印画紙へ焼付けるための写真処理方法であって、フィルムマスク領域、印画紙マスク領域、前記印画紙の送り量及び引伸倍率を含むプリント条件を、前記フルサイズプリント指定コマ用とパノラマサイズプリント指定コマ用とに切換可能とし、測光したネガフィルムの幅方向の濃度分布による画像コマエッジ部分の位置によってフルサイズかパノラマサイズかを判別することで前記各コマのプリント指定サイズを検出し、この検出結果に基づいてプリント条件を切り換えることを特徴としている。」
（４）明細書の段落番号【０００８】を以下の如く訂正する。
「【０００８】
　請求項２に記載の発明は、フルサイズプリント指定コマと、パノラマサイズプリント指定コマとが混在するフィルムを印画紙へ焼付けるための写真処理方法であって、フィルムマスク領域、印画紙マスク領域、前記印画紙の送り量及び引伸倍率を含むプリント条件を、前記フルサイズプリント指定コマ用とパノラマサイズプリント指定コマ用とに切換可能とし、測光したネガフィルムの幅方向の濃度分布による画像コマエッジ部分の位置によってフルサイズかパノラマサイズかを判別することで焼付位置に順次位置決めされる各コマのプリント指定サイズを検出し、この検出結果に基づいてプリント条件を切り換えながら焼付処理することを特徴としている。」
（５）明細書の段落番号【００１０】を削除する。
（６）明細書の段落番号【００１１】を以下の如く訂正する。
「【００１１】
　【作用】
　請求項１に記載の発明によれば、測光したネガフィルムの幅方向の濃度分布による画像コマエッジ部分の位置によってフルサイズかパノラマサイズかを自動的に判別することができる。また、フィルムマスク領域、印画紙マスク領域前記印画紙の送り量及び引伸倍率を含むプリント条件を前記フルサイズプリント指定コマ用とパノラマサイズプリント指定コマ用とに切換可能としたので、例えば、順次焼付位置へ位置決めされるコマ毎に焼付条件を切換えることができる。このため、単一のサイズのみを先に焼付けておき、フィルムを改めて装填し直して残りのサイズを焼付けるような手間が不要となり、作業効率が向上する。また、パノラマサイズプリント指定コマ用の専用の焼付装置を用意する必要がないので、設備も簡略となる。」
（７）明細書の段落番号【００１２】を以下の如く訂正する。
「【００１２】
　請求項２に記載の発明によれば、測光したネガフィルムの幅方向の濃度分布による画像コマエッジ部分の位置によってフルサイズかパノラマサイズかを自動的に判別することができる。また、フルサイズとパノラマサイズとが混在したフィルムを焼付ける場合、焼付条件を切換可能とすれば単にフィルムの焼付順序を変更させるのみで、フルサイズとパノラマサイズとを別個に集中して焼付処理することができる。この場合、装填は１回のみであるので、作業効率を低下させることがなく、かつ焼付条件の切換回数を少なくすることができる。」
（８）明細書の段落番号【００１３】を以下の如く訂正する。
「【００１３】
　請求項３に記載の発明によれば、測光したネガフィルムの幅方向の濃度分布による画像コマエッジ部分の位置によってフルサイズかパノラマサイズかを自動的に判別した上で、焼付工程前に記録媒体を用いて各コマのパリント指定サイズ（フルサイズかパノラマサイズか）を記憶してこの記録媒体を焼付装置側へフィルムと共にセットする。このため、焼付時に記憶媒体に記憶された情報を読取ることにより、各コマのプリント指定サイズを検出することができる。」
（９）明細書の段落番号【００１４】を削除する。
（１０）明細書の段落番号【００１５】を削除する。
（１１）明細書の段落番号【００７２】を以下の如く訂正する。
「【００７２】
　【発明の効果】
　以上説明した如く本発明に係る写真処理方法は、フルサイズプリント指定コマとパノラマサイズプリントコマとが混在するフィルムを各コマに対応するように焼付条件を切換ながら焼付処理することができ、１回のバッチ処理で効率良くプリントできるという優れた効果を有する。」
（１２）図面の図１１中の符号１２Ａと１２Ｂを互いに書き換える（１２Ａ→１２Ｂ、１２Ｂ→１２Ａ）。
ウ．訂正の目的の適否、新規事項の有無及び拡張・変更の存否
　上記（１）の訂正は、特許請求の範囲の減縮ないし明りょうでない記載の釈明を目的とするものであり、実質的に特許請求の範囲を拡張・変更するものではなく、また、新規事項の追加にも該当しない。
　上記（２）〜（１１）の訂正は、（１）の訂正により特許請求の範囲が訂正されたのに応じて、特許明細書の発明の詳細な説明を訂正し、特許請求の範囲の記載と発明の詳細な説明の記載との整合を図るものであるので、明りょうでない記載の釈明に該当し、また上記（１２）の訂正は、誤記の訂正に該当し、上記（１）〜（１２）の訂正はいずれも実質的に特許請求の範囲を拡張・変更するものではなく、新規事項の追加にも該当しない。
エ．独立特許要件
（本件発明）
　平成１１年４月２７日付け訂正請求により訂正された特許請求の範囲の請求項１〜３に係る発明は、訂正された特許明細書及び図面の記載からみて、その特許請求の範囲の請求項１〜３に記載されたとおりのもの（以下「本件発明１〜３」という。）と認める。
（引用刊行物）
　これに対して、当審が取消理由通知で引用した実願平１−１０５１１４号（実開平３−４３６４４号公報）の願書に最初に添付した明細書又は図面（以下、「先願明細書」という。）には、フィルム上の画像をトリミングして印画紙に露光するプリンタ装置に関して以下の記載がある。
▲１▼「通常のカメラよりも狭い領域（トリミング領域）のみをフィルムに露光するトリミングカメラが知られている。」（２頁７〜９行）
▲２▼「この種のカメラで撮影を行なった場合には、第６図に示すように、通常撮影の場合でもトリミング撮影の場合でもその撮影領域は符号５０で示す通常の撮影領域となる。そして、トリミング撮影の場合には、トリミングを行なう旨、すなわちトリミング領域６０のみを印画紙３０に露光する旨を指示するマーク（トリミングマーク）ＴＭが撮影時にフィルムＦＩの余白部分に写込まれ、通常撮影時にはこのトリミングマークＴＭは写込まれない。」（１０頁１９行〜１１頁８行）
▲３▼「拡散室７の下部には、フィルムＦＩを挟んで受光素子９１第８図）が設けられている。この受光素子９１は、現在プリントを行なっている駒の次の駒のトリミングマーク写込み部分の真下に位置し、受光した光に応じた信号を出力する。」（１１頁１４〜１８行）
▲４▼「さらに開口部１ｂには、図示左右方向に移動可能なアパーチャ形成部材９２，９３が設けられている。そして、プリントを行なう駒がトリミング撮影によるものの場合には、アパーチャ形成部材９２，９３が開口部１ｂの左右部分をそれぞれ覆うトリミング位置に駆動され、通常撮影によるものの場合には、開口部１ｂから退避する通常位置に駆動される。」（１２頁３〜１０行）
▲５▼「さらに引伸ばしレンズ２０はズーミング可能とされ、これにより引伸ばし倍率が可変となっている。」（１２頁１４〜１６行）
▲６▼「第８図はこのプリンタ装置の制御系を示し、制御回路１０１には、上述の受光素子９１およびモータ駆動回路１０２が接続されている。モータ駆動回路１０２には、アパーチャ形成部材９２，９３駆動用のモータ１０３、ミラー４１、ハーフミラー４２駆動用のモータ１０４および引伸ばしレンズ２０のズーミング用モータ１０５がそれぞれ接続されている。」（１２頁１７行目〜１３頁４行目）
▲７▼「次に、本実施例の動作を説明する。フィルムＦＩ上のある駒のプリントを行なっているとき、光源４からの光は、拡散室７で拡散されて次の駒のトリミングマーク写込み部分に照射される。このとき、ここにトリミングマークＴＭが写込まれていれば、受光素子９１に受光される光の光量が写込まれていない場合よりも少ない。制御回路１０１は、この受光素子９１の検出信号に基づいて次の駒がトリミング撮影によるものか否かを判定し、その判定結果に応じてモータ駆動回路１０２を制御して各モータを制御する。すなわち、次の駒がトリミング撮影によるものであった場合には、当該駒のプリント終了後、モータ１０３によりアパーチャ形成部材９２，９３をトリミング位置に駆動するとともに、モータ１０４によりミラー４１およびハーフミラー４２を挿入位置に駆動し、またモータ１０５により引伸ばしレンズ２０を、上述のトリミング領域６０のみをプリントするための引伸ばし倍率が得られるようにズーミングする．この状態でフィルムＦ１および印画紙３０を駆動して露光を行なえば、その駒のトリミング領域６０の画像のみが拡大されて印画紙３０の所定の露光領域７１（第４図）に露光されるとともに、日付デー夕がその露光領域７１内の写込み領域８０に写込まれる。一方、次の駒が通常撮影によるものであった場合には、モータ１０３によりアパーチャ形成部材９２，９３を通常位置に駆動するとともに、モータ１０４によりミラー４１およびハーフミラー４２を退避位置に駆動し、またモータ１０５により引伸ばしレンズ２０を、通常の引伸ばし倍率が得られるようにズーミングする。この状態でフィルムＦＩおよび印画紙３０を駆動して露光を行なえば、フィルムＦＩの撮影領域５０全体が印画紙３０の露光領域に露光されるとともに、日付データが第５図に示した通常の位置に写込まれる。」（１３頁５行〜１４頁末行）
▲８▼「なお、例えばトリミング領域の大きさが可変なカメラで撮影を行い、その大きさを示す情報がトリミングマークとしてフィルムＦＩ上に写込まれている場合には、このトリミングマークを読み取り、それに基づいてアパーチャ形成部材９２，９３およびミラー４１，ハーフミラー４２の位置を調節するとともに、引伸ばしレンズ２０のズーミング位置を調節すればよい。」（１５頁１〜８行）
　同じく刊行物１（特開平１−２８２５３１号公報）に示された技術は、フィルムにプリントの縦横比情報を記録するカメラに関して以下の記載がある。
▲１▼「第５図に示す如く、フイルム２４の発光部材１４に対向した部分が露光され、横長プリント情報１４ａがフイルム上に記録される。」（３頁左上欄７〜９行）
▲２▼「通常プリントで撮影を行なった場合、横長プリントを設定して撮影を行なった場合のフイルム駒はそれぞれ２４ａ，２４ｂとなる。」（３頁右上欄１５〜１８行）（第５図参照）
▲３▼「第６図は、本発明を実施したカメラで撮影したフイルムの焼付装置の概略を示す図である。………（中略）………ネガフイルム３１の下面には、情報読取部３５、焼付用ズームレンズ３６、ズームレンズ３６の焦点合わせを行なうフォーカス用モータ３７が配置されている。情報読取部３５は、前述の横長プリント情報を読み取る為のセンサーを有する。」（３頁右上欄１９行〜同頁左下欄１０行）
▲４▼「次に、この様に構成された焼付装置の動作を説明すると、焼付位置にネガフイルム３１が来ると、図示しない公知のフレームエッジ検出器がエッジを検出し、ネガフイルム３１を正規位置に停止させる。次に情報読み取り部３５のセンサーが、フイルムに記録された前述の横長プリント情報１４ａの有無を読み取る。情報が何もない通常プリントの撮影の場合（第５図の２４ａに相当）は第６図の如く、通常のプリントサイズでの焼付を行なう。横長プリント情報１４ａを情報読み取り部３５が検出した場合は、図示しない焼付装置の制御回路によりズームモータ２３を回転させ、通常プリントに対し拡大された画面サイズになる様に、ヘッド部摺動モータ３９によりヘッド部３８を上方へ移動する。更にフオーカス用モータ３７により移動した位置でのピント合わせを行なう。又、シヤツタ４３の開口部形状を横長プリント用の開口形状に変更し、横長プリント用のトリミングを行なう。トリミングの大きさは、第５図の２点鎖線の大きさにする。しかる後に焼付を行なう。上述の如く焼付を行なうと、ロール状の印画紙上には第７図に示す如く焼付が行われる。即ち、印画紙４２上には通常プリントの４２ａに対し、横長プリント設定を行なったプリント４２ｂがプリントされる。」（３頁右下欄５行〜４頁左上欄１０行）
　同じく刊行物２（特開平２−３０２７４４号公報）には、撮影画面の上下部分をトリミングした疑似パノラマ写真、または撮影画面の上下左右の周辺部分をトリミングした疑似望遠写真を得ることができるカメラに関し以下の記載がある。
▲１▼「第３図は、フィルム７上に、第１レンズ２が形成する標準サイズの撮影画面１５と、第２レンズ３が形成する疑似パノラマの撮影画面１６とが並んだ場合を示している。同図において、撮影画面１５と撮影画面１６とは、第１レンズ２と第２レンズ３との焦点距離が異なることにより、被写体の画角が異なっている。また撮影画面１５と撮影画面１６とは、後者が疑似パノラマの画面であるため画面の短辺の長さが異なり、さらに画面の対角中心の位置も異なっている。」（３頁左下欄１７行〜同右下欄７行）
▲２▼「またデー夕写し込み装置１２は、第２レンズ３による疑似パノラマの撮影が行われると、第３図に示すように疑似パノラマ撮影画面１６の長辺１６ｂの下方のパーフォレーションの間に、疑似パノラマ撮影であることを示す疑似パノラマ情報１６ｄを写し込む。プリント時にこの情報が自動検出されると、第３図の疑似パノラマ撮影画面１６を一枚の印画紙にプリントする、自動トリミングプリントが行われる。」（４頁右下欄２〜１０行）
　同じく刊行物３（特開昭６１−２２３８３１号公報）には、選定した疑似フォーマットを識別するために露出を記号化することにより露出の一部分から疑似パノラマあるいは疑似望遠プリントをつくることができるようにするカメラに関し次の記載がある。
▲１▼「プリント作動中、コード基点１０００を検出することによって、ファインダフイールドのマスキングに一致してネガをその上下限ゾーンに沿ってマスクさせる。………（中略）………プリント操作中、コード基点０００１を検出することによりファインダフイールドのマスキングに一致した上下、左右限ゾーンに沿ってネガをマスクキングする。」（前者はＦＩＧ．２に示されている疑似パノラマのプリントで後者は疑似望遠のプリントである）（６頁左下欄１９行〜同右下欄１５行）
　同じく刊行物４（特開昭５７−１０４９２１号公報）には、写真プリンタの運転制御方法に関する技術が記載され、このプリンタにはａ）ネガフィルム用マスク５（２頁左上欄　１２〜１３行）、ｂ）引伸し用レンズ６（２頁右上欄２行目）、ｃ）印画ペーパー用マスク９（２頁右上欄１０行）が備えられている。そして、刊行物５には写真プリンタの運転制御方法に関して以下の記載がある。
▲１▼図は、第１図における制御判断装置の構成を示すブロック図で、１１はマイクロプロセッサ、１２はランダムアクセスメモリ、１３はリードオンリメモリで、各種入力信号に対し予め記憶された基準データとの間で判断作用が行われる。１４はセンサ及び駆動インターフェイスで、上記ネガ信号、レンズ信号、ペーパー信号がそれぞれ入力されると共に、ペーパー長さ調節信号が出力される。」（２頁左下欄７〜１４行）
▲２▼「ペーパー信号によるデータが同様当該チャネル（又は指定チャネル）に有るか無いかのチェックが行われる。無い場合には「適正なサイズのペーパーを用いよ」との表示がなされる。有る場合には、ここでペーパー用マスクに対してペーパー長さ調節信号が発せられ、マスク９の長手方向の調節がなされる。」（３頁左上欄１８行目〜同右上欄４行）
▲３▼「ネガフィルム用マスク、印画ペーパー用マスクの各サイズ、レンズ種類等は半自動的に変換するようにしてもかまわない。」（３頁右上欄１１−１４行）
　同じく刊行物５（特開昭６３−２８０２３３号公報）には次のことが記載されている。
▲１▼「第２図（Ｂ）に示すように、穿孔テープ（紙テープ）１１には、焼付すべき画像駒１８Ａの露光量修正情報としての複数の孔３２及び焼付を必要としない画像駒１８Ｃに対してのパス情報としての孔３０が穿設されている。」（３頁左下欄末行〜同右下欄４行）
▲２▼「上記露光量修正情報及びパス情報は自動写真焼付装置で焼付する前に検定装置によって、検定されて穿孔テープに穿孔されるようになっており」（３頁右下欄１８〜末行）
▲３▼「なお、上記ではパス情報と露光量修正情報とを穿孔テープに記憶して焼付け処理する例について説明したが、平均透過濃度を検出する測光器に代えて自動写真焼付装置にイメージセンサを設けて露光制御を行なう場合には、このイメージセンサをノッチ検出やノッチが対応して穿設されていない画像駒の検出に兼用することができる。イメージセンサを用いてノッチが対応して穿設されていない画像駒を検出する場合には、画像駒の濃度情報を検出して演算処理することにより検出でき、また原画フイルムのベース部分と画像駒部分との濃度差を検出して駒エッジを検出することにより検出することができる。」（６頁右下欄６〜１８行）
▲４▼「また、上記で説明したイメージセンサで駒エッジを検出することで、直接画像駒サイズを検出するようにしてもよい。」（７頁右上欄１９行〜同左下欄１行）
（対比・判断）
《請求項１に係る発明について》
　本件発明１と先願明細書記載の考案並びに刊行物１〜５に記載の発明とを対比すると、先願明細書及び刊行物１〜５には本件発明１の構成要件である「測光したネガフィルムの幅方向の濃度分布による画像コマエッジ部分の位置によってフルサイズかパノラマサイズかを判別すること」について記載されておらず、その示唆もない。
　また、上記構成要件は当該技術分野において周知・自明な事項でもない。
　そして、本件発明１は、上記構成要件を備えることにより、特許明細書記載の本件発明１に特有の作用効果を奏するものである。
　したがって、本件発明１は上記先願明細書記載の考案と実質的に同一であるとも、或いは上記刊行物１〜５に記載された発明に基づいて当業者が容易に発明をすることができたものとすることもできない。
《請求項２、３に係る発明について》
　請求項２に係る発明は「測光したネガフィルムの幅方向の濃度分布による画像コマエッジ部分の位置によってフルサイズかパノラマサイズかを判別すること」を構成要件とし、請求項３に係る発明は請求項１、２に係る発明を択一的に引用し、さらに技術的に限定しているので、請求項１に係る発明と同様の理由で、上記先願明細書記載の考案と実質的に同一であるとも、或いは上記刊行物１〜５に記載された発明に基づいて当業者が容易に発明をすることができたものとすることもできない。
（むすび）
　よって、本件発明１〜３は、特許出願の際独立して特許を受けることができないものとすることはできない。
オ．むすび
　以上のとおりであるから、上記訂正請求は、特許法等の一部を改正する法律（平成６年法律第１１６号）附則第６条第１項の規定によりなお従前の例によるとされる、特許法第１２０条の４第２項、同条第３項で準用する第１２６条第２項乃至第４項の規定に適合するので、当該訂正を認める。
（３）特許異議申立てについて
ア．特許異議申立ての理由の概要
　特許異議申立人・中森　繁雄は、甲第１号証（実願平１−１０５１１４号（実開平３−４３６４４号）のマイクロフィルり、甲第２号証（特開平１−２８２５３１号公報）、甲第３号証（特開平２−３０２７４４号公報）、甲第４号証（特開昭６１−２２３８３１号公報）、甲第５号証（特開昭５７−１０４９２１号公報）、甲第６号証（特開昭６３−２８０２３３号公報）を提示し、訂正前の特許明細書の特許請求の範囲の請求項１、２、４に係る発明は、甲第１号証に記載された考案と実質的に同一であるから特許法第２９条の２の規定より特許を受けることができず、また請求項１、２、４係る発明は甲第２〜５号証記載の発明に基づいて、請求項３に係る発明は甲第２〜６号証に記載された発明に基づいて、それぞれ当業者が容易に発明をすることができたものであるから、特許法第２９条第２項の規定により特許を受けることができないので、訂正前の請求項１〜４に係る発明の特許は取り消されるべきである旨主張している。
イ．対比・判断
　特許異議申立人が提示した甲第１号証は、取消理由通知に引用した前記先願明細書であり、また甲第２〜６号証は、それぞれ取消理由通知に引用した刊行物１〜５であるから、各々（２）訂正の適否エ．独立特許要件（引用刊行物）に示した考案及び発明が記載されている。
　そして、上記（２）訂正の適否エ．独立特許要件（対比・判断）において判断したとおり、訂正後の特許請求の範囲の請求項１〜３に記載された発明である本件発明１〜３は、甲第１号証記載の考案と実質的に同一であるとも、或いは甲第２〜６号証に記載された発明に基づいて、当業者が容易に発明をすることができたものとすることもできない。
ウ．むすび
　以上のとおりであるから、特許異議の申立ての理由及び証拠によっては本発明１〜３の特許を取り消すことはできない。
　また、他に本件発明１〜３の特許を取り消すべき理由を発見しない。
　よって結論のとおり決定する。
【異議決定日】
平成１１年８月９日（１９９９．８．９）
【訂正の要旨】
訂正の要旨
１．特許請求の範囲の訂正
（１）特許請求の範囲の記載を、特許請求の範囲の減縮ないし明瞭でない記載の釈明を目的として下記の通りに訂正する。
「【請求項１】　フルサイズプリント指定コマと、パノラマサイズプリント指定コマとが混在するフィルムを印画紙へ焼付けるための写真処理方法であって、フィルムマスク領域、印画紙マスク領域、前記印画紙の送り量及び引伸倍率を含むプリント条件を、前記フルサイズプリント指定コマ用とパノラマサイズプリント指定コマ用とに切換可能とし、測光したネガフィルムの幅方向の濃度分布による画像コマエッジ部分の位置によってフルサイズかパノラマサイズかを判別することで各コマのプリント指定サイズを検出し、この検出結果に基づいてプリント条件を切り換えることを特徴とする写真処理方法。
　【請求項２】　フルサイズプリント指定コマと、パノラマサイズプリント指定コマとが混在するフィルムを印画紙へ焼付けるための写真処理方法であって、フィルムマスク領域、印画紙マスク領域、前記印画紙の送り量及び引伸申倍率を含むプリント条件を、前記フルサイズプリント指定コマ用とパノラマサイズプリント指定コマ用とに切換可能とし、測光したネガフィルムの幅方向の濃度分布による画像コマエッジ部分の位置によってフルサイジかパノラマサイズかを判別することで焼付位置に順次位置決めされる各コマのプリント指定サイズを検出し、この検出結果に基づいてプリント条件を切り換えながら焼付処理することを特徴とする写真処理方法。
　【請求項３】　前記各コマのプリント指定サイズをプリント工程前に記憶媒体へ記憶しておき、この記憶媒体からの情報に基づいて各コマのプリント指定サイズを検出することを特徴とする請求項１又は２記載の写真処理方法。」
２．発明の詳細な説明の訂正
（２）明細書の段落番号【０００５】を、明りょうでない記載の釈明を目的として以下の如く訂正する。
「【０００５】
　【発明が解決しようとする課題】
　しかし、フルサイズプリントコマとパノラマサイズプリントコマとが混在するフィルムの焼付においては、フィルムのセットを２度行わなければならない。言い換えれば、１回のバッチ処理で処理を終了させることができない。」
（３）明細書の段落番号【０００６】を、明りょうでない記載の釈明を目的として以下の如く訂正する。
「【０００６】
　本発明は上記事実を考慮し、フルサイズプリントコマとパノラマサイズプリントコマとが混在するフィルムを各コマに対応するように焼付条件を切換ながら焼付処理することができ、１回のバッチ処理で効率良くプリントできる写真処理方法を得ることが目的である。」
（３）明細書の段落番号【０００７】を、明りょうでない記載の釈明を目的として以下の如く訂正する。
「【０００７】
　【課題を解決するための手段】
　請求項１に記載の発明は、フルサイズプリント指定コマと、パノラマサイズプリント指定コマとが混在するフィルムを印画紙へ焼付けるための写真処理方法であって、フィルムマスク領域、印画紙マスク領域、前記印画紙の送り量及び引伸倍率を含むプリント条件を、前記フルサイズプリン指定コマ用とパノラマサイズプリント指定コマ用とに切換可能とし、測光したネガフィルムの幅方向の濃度分布による画像コマエッジ部分の位置によってフルサイズかパノラマサイズかを判別することで前記各コマのプリント指定サイズを検出し、この検出結果に基づいてプリント条件を切り換えることを特徴としている。」
（４）「明細書の段落番号【０００８】を、明りょうでない記載の釈明を目的として以下の如く訂正する。
「【０００８】
　請求項２に記載の発明は、フルサイズプリント指定コマと、パノラマサイズプリント指定コマとが混在するフィルムを印画紙へ焼付けるための写真処理方法であって、フィルムマスク領域、印画紙マスク領域、前記印画紙の送り量及び引伸倍率を含むプリント条件を、前記フルサイズプリント指定コマ用とパノラマサイズプリント指定コマ用とに切換可能とし、測光したネガフィルムの幅方向の濃度分布による画像コマエッジ部分の位置によってフルサイズかパノラマサイズかを判別することで焼付位置に順次位置決めされる各コマのプリント指定サイズを検出し、この検出結果に基づいてプリント条件を切り換えながら焼付処理することを特徴としている。」
（５）明細書の段落番号【００１０】を、明りょうでない記載の釈明を目的として削除する。
（６）明細書の段落番号【００１１】を、明りょうでない記載の釈明を目的として以下の如く訂正する。
「【００１１】
　【作用】
　請求項１に記載の発明によれば、測光したネガフィルムの幅方向の濃度分布による画像コマエッジ部分の位置によってフルサイズかパノラマサイズかを自動的に判別することができる。また、フィルムマスク領域、印画紙マスク領域、前記印画紙の送り量及び引伸倍率を含むプリント条件を前記フルサイズプリント指定コマ用とパノラマサイズプリント指定コマ用とに切換可能としたので、例えば、順次焼付位置へ位置決めされるコマ毎に焼付条件を切換えることができる。このため、単一のサイズのみを先に焼付けておき、フィルムを改めて装填し直して残りのサイズを焼付けるような手間が不要となり、作業効率が向上する。また、パノラマサイズプリント指定コマ用の専用の焼付装置を用意する必要がないので、設備も簡略となる。」
（７）明細書の段落番号【００１２】を、明りょうでない記載の釈明を目的として以下の如く訂正する。
「【００１２】
　請求項２に記載の発明によれば、測光したネガフィルムの幅方向の濃度分布による画像コマエッジ部分の位置によってフルサイズかパノラマサイズかを自動的に判別することができる。また、フルサイズとパノラマサイズとが混在したフィルムを焼付ける場合、焼付条件を切換可能とすれば単にフィルムの焼付順序を変更させるのみで、フルサイズとパノラマサイズとを別個に集中して焼付処理することができる。この場合、装填は１回のみであるので、作業効率を低下させることがなく、かつ焼付条件の切換回数を少なくすることができる。」
（８）明細書の段落番号【００１３】を、明りょうでない記載の釈明を目的として以下の如く訂正する。
「【００１３】
　請求項３に記載の発明によれば、測光したネガフィルムの幅方向の濃度分布による画像コマエッジ部分の位置によってフルサイズかパノラマサイズかを自動的に判別した上で、焼付工程前に記録媒体を用いて各コマのプリント指定サイズ（フルサイズかパノラマサイズか）を記憶してこの記録媒体を焼付装置側へフィルムと共にセットする。このため、焼付時に記憶媒体に記憶された情報を読取ることにより、各コマのプリント指定サイズを検出することができる。」
（９）明細書の段落番号【００１４】を、明りょうでない記載の釈明を目的として削除する。
（１０）明細書の段落番号【００１５】を、明りょうでない記載の釈明を目的として削除する。
（１１）明細書の段落番号【００７２】を、明りょうでない記載の釈明を目的として以下の如く訂正する。
「【００７２】
　【発明の効果】
　以上説明した如く本発明に係る写真処理方法は、フルサイズプリント指定コマとパノラマサイズプリントコマとが混在するフィルムを各コマに対応するように焼付条件を切換ながら焼付処理することができ、１回のバッチ処理で効率良くプリントできるという優れた効果を有する。」
３．図面の訂正
（１２）図面の図１１中の符号１２Ａと１２Ｂを、誤記の訂正を目的として互いに書き換える（１２Ａ→１２Ｂ、１２Ｂ→１２Ａ）。
（５４）【発明の名称】
写真処理方法
（５７）【特許請求の範囲】
　　【請求項１】　
フルサイズ
パノラマサイズ
フル
パノラマサイズ
測光したネガフィルムの幅方向の濃度分布による画像コマエッジ部分の位置によってフルサイズかパノラマサイズかを判別すること
　　【請求項２】　
フルサイズ
パノラマサイズ
フル
パノラマサイズ
測光したネガフィルムの幅方向の濃度分布による画像コマエッジ部分の位置によってフルサイズかパノラマサイズかを判別することで焼付位置に順次位置決めされる
　　【請求項３】　前記各コマのプリント指定サイズをプリント工程前に記憶媒体へ記憶しておき、この記憶媒体からの情報に基づいて各コマのプリント指定サイズを検出することを特徴とする請求項１又は２記載の写真処理方法。
【発明の詳細な説明】
　【０００１】
　　【産業上の利用分野】
　本発明は、
フルサイ
パノラマサイズ
　【０００２】
　　【従来の技術】
　一般に、カメラで撮影される画像のサイズは、１本のネガフィルム上で異なるサイズ、例えば、視野が水平方向に拡大されるパノラマ画像が撮影されることがある。また、ハイビジョンサイズやシネマスコープサイズも出現する可能性がある。このパノラマ画像のサイズは、ネガフィルム上では１コマの一部である縦方向（ネガフィルムの幅方向）が短くされて、この縦方向の長さに対する横方向の長さの比率が通常のものより大きく、例えば約２倍となっている。
　【０００３】
　ここで、フルサイズとパノラマサイズとを同じ尺度で印画紙への焼付処理をする場合、フルサイズプリントコマを焼付けるときの引伸倍率よりもパノラマサイズプリントコマを焼付けるときの引伸倍率を大きくする必要があると共にネガフィルムのマスク領域及び印画紙の焼付範囲も異なってくる。すなわち、それぞれのサイズに応じてネガフィルムのマスク領域や印画紙の搬送距離を変更する必要がある。
　【０００４】
　このような場合に、従来の焼付装置では、１ロット（例えば、１本又は１ロール）内では、フルサイズプリントコマかパノラマサイズプリントコマかによって、コマ毎に焼付条件を変えて１コマずつ順にプリントするようなことができないため、まずフルサイズプリントを行い、その後改めてパノラマサイズプリント専用のプリンタを用いてパノラマサイズプリントコマのみを抜き出してプリントする必要がある。
　【０００５】
　　【発明が解決しようとする課題】
　しかし、フルサイズプリントコマと
パノラマサイズ
　【０００６】
　本発明は上記事実を考慮し、フルサイズプリントコマと
パノラマサイズ
　【０００７】
　　【課題を解決するための手段】
　請求項１に記載の発明は、
フルサイズ
パノラマサイズ
フル
パノラマサイズ
測光したネガフィルムの幅方向の濃度分布による画像コマエッジ部分の位置によってフルサイズがパノラマサイズかを判別することで
　【０００８】
　請求項２に記載の発明は、
フル
パノラマサイズ
パノラマサイズ
測光したネガフィルムの幅方向の濃度分布による画像コマエッジ部分の位置によってフルサイズかパノラマサイズかを判別することで焼付位置に順次位置決めされる
　【０００９】
　請求項３に記載の発明は、前記請求項１又は２に記載の発明において、前記各コマのプリント指定サイズをプリント工程前に記憶媒体へ記憶しておき、この記憶媒体からの情報に基づいて各コマのプリントサイズを検出することを特徴としている。
　【００１１】
　　【作用】
　請求項１に記載の発明によれば、
測光したネガフィルムの幅方向の濃度分布による画像コマエッジ部分の位置によってフルサイズかパノラマサイズかを自動的に判別することができる。また、
フル
パノラマサイズ
パノラマサイズ
　【００１２】
　請求項２に記載の発明によれば、
測光したネガフィルムの幅方向の濃度分布による画像コマエッジ部分の位置によってフルサイズかパノラマサイズかを自動的に判別することができる。また、フル
パノラマサイズ
フル
パノラマサイズ
　【００１３】
　請求項３に記載の発明によれば、
測光したネガフィルムの幅方向の濃度分布による画像コマエッジ部分の位置によってフルサイズかパノラマサイズかを自動的に判別した上で、
フル
パノラマ
　【００１６】
　　【実施例】
　図１には、本実施例に係る写真処理システムの概略図が示されている。
　【００１７】
　カメラ１０によって撮影されたネガフイルム１２が収容されたパトローネ１４は、ラボへ送られて最初にプロセッサ１６によって現像処理が行われる。なお、ネガフィルム１２は、複数のネガフィルム１２を接合して、１本のロール状にした後にプロセッサ１６ヘセットされる。現像工程が終了すると、ネガフィルム１２は、ネガ検定機１８（以下、ノッチャーパンチャ１８という）によって、検定作業がなされる。
　【００１８】
　ノッチャーパンチャ１８では、撮影された画像の露光条件の補正値を決め、書込装置２０によってメモリカード２２へその情報を入力すると共に各コマに対応してノッチを付すようにしている。この露光条件の補正値の決定は、オペレータの目視による判断で行い、ノッチの付与は自動的に行っている。
　【００１９】
　ノッチャーパンチャ１８では、この補正値等をメモリカード２２に記録し、ネガフィルム１２と共にこのメモリカード２２がプリンタ２４ヘセットされる。
　【００２０】
　プリンタ２４では、ネガフィルム１２を１コマ毎に搬送すると同時に読取装置２６によってそれぞれのコマに対応する露光条件をメモリカード２２から読取り、読み取られた露光条件に基づいて露光量等が決定され、印画紙２８ヘプリントされる。
　【００２１】
　プリント工程が終了したネガフィルム１２は、所定コマ（例えば６コマ）毎にカットされ、ネガシートに収容される。また、印画紙２８は、現像工程、検定工程を経て各画像毎にカットされ、前記ネガフィルム１２と共にＤＰ袋に収容されて、顧客へと返送される。
　【００２２】
　以上が通常の写真処理工程であるが、現在、カメラ１０によってパノラマ撮影されることがあり、このパノラマ撮影された画像コマの大きさは、標準サイズ（例えばフルサイズ）の画像コマの大きさと異なっている。すなわち、図２に示される如く、１本のネガフィルム１２にフルサイズの画像コマ１２Ａとパノラマサイズの画像コマ１２Ｂとが混在している。画像コマ１２Ｂは、その縦寸法（ネガフィルム１２の幅方向寸法）が短くなっており、面積比がフルサイズの画像コマ１２Ａの約１／２コマ分に相当している。このため、ネガフィルムの画像コマをマスクする領域が異なると共に、このパノラマサイズの画像をフルサイズと同尺度でプリントする場合に、引伸倍率、印画紙２８の搬送量及び印画紙２８のマスク領域等の焼付条件を異ならせる必要がある。そこで、本実施例では、パノラマサイズプリント指定の画像コマ１２Ａとフルサイズプリント指定の画像コマ１２Ｂとを判別する機能をノッチャーパンチャ１８に具備すると共に、前記焼付条件に対応可能な機構をプリンタ２４へ具備している。
　【００２３】
　以下に本実施例に係るノッチャーパンチャ１８及びプリンタ２４の詳細な構成について説明する。
　【００２４】
　（ノッチャーパンチャ１８）
　図３には、本実施例に係るノツチヤパンチヤ１８が示されている。メインテーブル１０２は、その装置奥側が高くなっており、長尺状ネガフイルムの装填台１０４とされている。装填台１０４の中央部には、処理ステージ１０６が形成され、前面の斜面部１０８をネガフイルム１２が図３の左側から右側へと通過するようになっている。すなわち、処理ステージ１０６の図３の左側には、層状に巻き取られた未処理（ノツチ付与前）の長尺状ネガフイルム１２が装填された送り出しリール１１２が設置されている。送り出しリール１１２に層状に巻き取られたネガフイルム１２は、その最外周の先端部が巻掛ローラ１１６、テンシヨンローラ１１８を介して、処理ステージ１０６へと案内されている。処理ステージ１０６には、案内溝１２０が形成され、ネガフイルム１２は送り込みローラ１２２に巻掛られた後、この案内溝１２０へと至るようになっている。
　【００２５】
　テンシヨンローラ１１８は、アーム１２４の先端部に軸を介して軸支されている。アーム１２４の後端は前記送り出しリール１１２に軸支されており、揺動可能となっている。
　【００２６】
　一方、処理ステージ１０６の図３の右側には、処理後のネガフイルム１２を層状に巻取る巻き取りリール１２６が設置されており、処理ステージ１０６の最下流に取り付けられた送り出しローラ１２８に巻掛られて、案内溝１２０から引き出されたネガフイルム１２を順次巻取るようになっている。なお、送り出しローラ１２８と巻き取りリール１２６との間の経路には、アームの先端部に軸を介して軸支されたテンションローラ１３２及び巻掛ローラ１３４が介在されている。
　【００２７】
　ネガフイルム１２は、送り出しリール１１２と巻き取りリール１２６の回転駆動の他、これらの駆動トルクよりも大きい駆動トルクを備えた搬送部１３６により搬送されるようになっている。搬送部１３６は、パルスモータで構成され、処理ステージ１０６の送り出しローラ１２８の上流に設けられており、制御部１１４からのパルス信号に応じて正確にネガフイルム１２を搬送することができるようになっている。
　【００２８】
　処理ステージ１０６の送り込みローラ１２２の下流側には、画像読取部１３８が設置されている。この画像読取部１３８では、ネガフイルム１２の濃淡を検出する機能を有している。検出されたネガフイルム１２の濃淡は制御部１１４へ供給され、制御部１１４では撮影された画像コマのエツヂを判別するようになっている。この画像コマのエツヂを検出することにより、後述するネガフイルム検定／ノツチ付与部１４０での正確な位置決めが行えるようになっている。
　【００２９】
　また、画像コマのエッヂを判別することにより、ネガフィルム１２に記録されている画像コマがフルサイズかパノラマサイズかを判別することができる。
　【００３０】
画像読取部１３８の下流側には、ネガフイルム検定／ノツチ付与部１４０が設けられている。ネガフイルム検定／ノツチ付与部１４０の裏面には、制御部１１４に接続された光源（図示省略）が設置され、この光源からの光線によって１コマ分の画像コマを透過させるようになっている。
　【００３１】
　また、ネガフイルム検定／ノツチ付与部１４０には、透明板材で形成されたゲージ１５６が配設され、画像コマの中心を正確に得ることができるようになっている。
　【００３２】
　光線によって透過された画像コマは、作業員の目視によりネガ補正情報（以下データという）が定められ、そのデータは、処理ステージ１０６の前部のメインテーブル１０２上に載置されたキーボード１４６のキー操作によってキー入力されるようになっている。キー入力されたデータは、制御部１１４へ供給され、書込装置２０によってメモリカード２２へ記録されるようになっている。
　【００３３】
　メモリカード２２は、キー入力に応じたデータが制御部１１４を介して順次記録されるようになっている。
　【００３４】
　ネガフイルム検定／ノツチ付与部１４０には、ネガフイルム１２に半円形のノツチを付与するパンチヤ（図示省略）が配設されている。
　【００３５】
　（プリンタ２４）
　図４には本発明が適用されたプリンタ２４が示されている。プリンタ２４の光源２０２から照射される光線の焼付光路Ｌには、その最上方にプリントマスク２０４が配置され、ロール状印画紙２８の一部を挟持して、焼付位置へ固定している。ロール状印画紙２８は、その両方が回転軸２０８、２１０に層状に巻き取られており、プリントマスク２０４の下流側には、一対の搬送ローラ２１２が設置され、印画紙２８を挟持している。搬送ローラ２１２は、モータ２１４の駆動力で図４の矢印Ａ方向へ回転され、一方の層状巻取部（図４の左側層状巻取部）の外周から印画紙先端を引き出して、他方の回転軸２１０へ巻取る構成である。
　【００３６】
　巻き出し用回転軸２０８とプリントマスク２０４との間の印画紙２８は、テンシヨンローラ２１６に巻掛けられている。また、搬送ローラ２１２の下流側にも、テンシヨンローラ２１８が配設され、印画紙２８が巻掛けられている。これらのテンシヨンローラ２１６、２１８はその軸直角方向へ移動可能とされており、印画紙搬送時のテンションを一定に保持するようにしている。
　【００３７】
　プリントマスク２０４の下方の焼付光路Ｌ上には、ネガキヤリア２２０が配設され、長尺状のネガフイルム１２の一部を挟持して、所定位置へ固定している。ネガキヤリア２２０についての詳細な構造は後述する。
　【００３８】
　ネガフイルム１２は、その両方が、回転軸２２４、２２６に層状に巻き取られており、ネガキヤリア２２０の下流側には、一対の搬送ローラ２２８が設置され、ネガフイルム１２を挟持している。搬送ローラ２２８は、モータ２３２の駆動力で図４の矢印Ｂ方向へ回転され、一方の層状巻取部（図４の左側巻取部）の外周からネガフイルム１２を引き出して、他方の回転軸２２６へ巻取る構成である。
　【００３９】
　巻き出し用回転軸２２４とネガキャリア２２０との間のネガフイルム１２は、テンシヨンローラ２３４に巻掛けられている。また、搬送ローラ２２８の下流側にも、テンシヨンローラ２３６が配設され、ネガフイルム１２が巻掛けられている。これらのテンシヨンローラ２３４、２３６はその軸直角方向へ移動可能とされており、ネガフイルム１２の搬送時のテンシヨンを一定に保持するようにしている。
　【００４０】
　ネガキヤリア２２０とプリントマスク２０４との間には、焼付用レンズ２３７とブラツクシヤツタ２３８とが配置されている。ブラツクシヤツタ２３８は、ドライバ２４０からの駆動信号に応じて光路Ｌ上に挿入又は離脱可能とされている。また、レンズ２３７は、ドライバ２３９からの駆動信号に応じて光路Ｌに沿って移動可能となっている。これにより、引伸倍率を変更することができる。
　【００４１】
　ネガキヤリア２２０と光源２０２との間には、Ｃ（シアン）、Ｍ（マゼンタ）、Ｙ（イエロー）の各色のカツトフイルタ２４２、２４４、２４６が配設されている。これらのカツトフイルタ２４２、２４４、２４６はそれぞれドライバ２４８、２５０、２５２がらの信号に応じて、光路Ｌ上へ挿入又は離脱されるようになっている。
　【００４２】
　ネガキヤリア２２０の斜め上方には、受光器２５４が配設されている。受光器２５４はネガキヤリア２２０に位置決めされているネガフイルム１２に撮影された画像の濃度情報を検出し、その検出値を制御部２５６へ供給するようになっている。制御部２５６では、この濃度情報に基づいて露光量が演算され、この演算結果に応じて前記ブラツクシヤツタ２３８及びカツトフイルタ２４２、２４４、２４６を制御している。
　【００４３】
　制御部２５６には読取装置２６が接続されている。読取装置２６には、メモリカード２２が装填可能とされており、前記ノッチャーパンチャ１６によって判別されるフルサイズかパノラマサイズかの情報の読取り、それぞれの焼付条件（印画紙２８のマスク領域、ネガフィルム１２のマスク領域、レンズ２３７による引伸倍率、印画紙２８の搬送距離）を設定するようにしている。
　【００４４】
　次に、上記焼付条件の各項目毎の設定変更機構について説明する。まず、印画紙２８のマスク領域について説明する。
　【００４５】
　図５に示される如く、プリント位置は、２対のマスク板２５８、２６０によって形成されている。ここで、印画紙２８の長手方向（搬送方向）に沿ったマスク板２５８は、フルサイズ及びパノラマサイズによって変更する必要がないので、固定されている。なお、画像の枠有、枠無を設定するために可動のものもある。一方、印画紙２８の幅方向に沿ったマスク板２６０は、ロール状に巻き取られたスクリーン２６２の先端に取付けられており、スクリーン２６２の巻取、巻出に応じて、マスク領域が変更できるようになっている。すなわち、図５に示されている位置は、パノラマサイズに設定されたマスク領域であり、フルサイズに設定される場合は、スクリーン２６２が巻出されて、図５の鎖線の領域をマスクするようになっている。
　【００４６】
　次に、ネガフィルム１２のマスク領域について説明する。このネガフィルム１２のマスク領域は、ネガキャリア２２０によってなされている。
　【００４７】
　図６には本実施例に係るネガキャリア２２０が示されている。このネガキャリア２２０は、台座３０２及び開閉カバー３０４を主要部として構成されている。
　【００４８】
　台座３０２には、ネガフイルム搬送路３０６が形成されている。ネガフイルム搬送路３０６の長手方向中央部には焼付開口３１２が設けられ、プリンタ２４に設けられた光源２０２からの光線の照射口とされている。この焼付開口３１２の大きさはネガフイルム１２のフルサイズの画像コマ１２Ａと同一の大きさとされている。ネガフイルム搬送路３０６には、焼付開口３１２の上流側（図６の左方向）及び下流側（図６の右方向）に搬送ローラ３２０、３２２、３２４がネガフイルム１２の裏面（下面）に対応して配設されている。各搬送ローラ３２０、３２２、３２４は同一回転方向に同一回転速度で駆動されるようになっている。
　【００４９】
　焼付開口３１２の下面側には、開口面積を変更することが可能な一対の仕切板３４４が配設されている。仕切板３４４は互いに同一平面上に位置し、スライド可能とされており、焼付開口３１２へ出没させることが出来るようになっている。仕切板３４４の出没部分は枠状に形成され、この枠の開口領域は、前記ネガフィルム１２の画像コマ１２Ｂ（パノラマサイズ）に対応している。
　【００５０】
　ここで、焼付開口３１２への仕切板３４４の突出時は、焼付開口３１２の上下方向（ネガフィルム１２の幅方向）両端が遮光されることになり、残りの開口面積がネガフイルム１２のパノラマサイズの画像コマのサイズと同一とされるようになっている。
　【００５１】
　すなわち、仕切板３４４が手前側に引かれているときは（第１の位置）、フルサイズの画像コマ１２Ａに適合され、奥側に押しこまれているときは（第２の位置）、パノラマサイズの画像コマに適合されることになる。この仕切板３４４のスライドは、図示しないモータの駆動によってなされる。
　【００５２】
　開閉カバー３０４は、筐体状のカバー本体３９０の下端が台座３０２に固定されたバー３９２に軸支され、このバー３９２を中心に台座３０２に対して開閉させることができるようになっている。
　【００５３】
　カバー本体３９０の底部には、前記焼付開口３１２に対応された貫通孔３９６が設けられている。また、カバー本体３９０には閉止状態で前記ネガフイルム搬送路３０６と対応する位置に上部案内ベース３９８が取付られ、ネガフイルム案内壁４０２が一体形成されて、案内壁４０２の先端と案内面３０８との間に間隙が生じるようになっている。また、この間隙寸法はネガフイルム１２の肉厚寸法よりも若干大きく、ネガフイルム幅方向端部の搬送経路を確保している。
　【００５４】
　また、案内壁４０２と案内壁４０２との間には、前記搬送ローラ３２０、３２２、３２４に対応して、アイドルローラ４１０、４１２、４１４が掛け渡されており、開閉カバー３０４が閉止されることにより、このアイドルローラ４１０、４１２、４１４と搬送ローラ３２０、３２２、３２４とでネガフイルム１２を挟持して、ネガフイルム１２へ搬送力を伝達することができるようになっている。
　【００５５】
　アツパベース４０４のネガフイルム搬送方向中央部には、このアツパベース４０４と相対移動可能で、かつ前記貫通孔３９６と対応する位置に開口が設けられたアツパマスク４２０が配置されている。アツパマスク４２０は斜面状の側面を介してアツパベース４０４の裏側に配設されたマスクベース４２２に固着されている。マスクベース４２２は、カバー本体３９０の底面のほぼ全面に亘って配設されており、ソレノイド本体４２３が固着されている。ソレノイド本体４２３が通電されると、アツパマスク４２０を前記アツパベース４０４に対して相対移動され、ネガフイルム搬送路３０６の焼付開口３１２と密着させることができ、光軸Ｐに位置決めされたネガフイルム１２を挟持することができるようになっている。
　【００５６】
　次に、レンズ２３７による引伸倍率の変更は、前記ドライバ２３９によってなされるが、パノラマサイズの方がフルサイズよりも引伸倍率が大きくなるように駆動され、その位置は一定である。従って、フルサイズの位置とパノラマサイズの位置の２位置を予め記憶しておき、メモリカード２２からの信号に応じて、何れかの位置へ位置決めすればよい。
　【００５７】
　最後に印画紙２８の搬送距離は、図７に示される如く、画面の間隔をαとすると、フルサイズからフルサイズへの搬送距離がＭ＋α、その他の間の搬送距離は、フルサイズからパノラマサイズが１．５Ｍ＋α、パノラマサイズからパノラマサイズが２Ｍ＋α、パノラマサイズからフルサイズが１．５Ｍ＋αとなる。
　【００５８】
　以下に本実施例の作用を図８のフローチヤートに従い説明する。なお、ノッチャーパンチャ１８によりフルサイズかパノラマサイズかが判定され、メモリカード２２に記録されて、プリンタ２４の読取装置２６に装填されているものとする。
　【００５９】
　ステツプ５００では、メモリカード２２から次に焼付位置にくる画像コマの情報を読み取り、ステツプ５０２へ移行して、上記読み取られた情報から画像コマの種類（フルサイズかパノラマサイズか）を判別する。
　【００６０】
　ステツプ５０２において、フルサイズであると判別された場合はステツプ５０４へ移行してフラグＦをセツト（１）し、パノラマサイズであると判別された場合は、ステツプ５０６へ移行してフラグＦをリセツト（０）して、それぞれステツプ５０８へ移行する。
　【００６１】
　ステツプ５０８では、現在プリンタ２４において設定されている焼付条件と次に焼付処理される画像コマの焼付条件とが一致しているか否かが判断される。すなわち、一致であれば焼付条件を変更する必要がなく、逆に不一致であれば焼付条件を変更する必要がある。
　【００６２】
　ステツプ５０８において、焼付条件が一致していると判別された場合は、ステツプ５１０へ移行して、フラグＦがセットされているか否かが判断される。ステップ５１０で肯定判定された場合は、ステツプ５１２へ移行してフルサイズ−フルサイズ間の搬送（搬送距離Ｍ＋α）を行う。また、ステツプ５１０で否定判定された場合は、ステツプ５１４へ移行してパノラマサイズ−パノラマサイズ間の搬送（搬送距離２Ｍ＋α）を行う。
　【００６３】
　次のステップ５１６では、ネガフィルム１２を搬送して、焼付すべき画像コマを焼付位置へ位置決めし、次いでステツプ５１８で測光を行い、ステツプ５２０で露光量を演算する。次のステップ５２２では、焼付処理を行う。ステツプ５２４では、１ロールのネガフィルム１２が終了したか否かが判断され、否定判定の場合は、ステップ５００へ移行して次の画像コマ焼付準備を行う。また、ステップ５２４では、全ての画像コマの焼付処理が終了したと判定（肯定判定）された場合は、処理は終了する。
　【００６４】
　ステツプ５０８において、焼付条件が不一致していると判別された場合は、ステツプ５０８からステツプ５２６へ移行して、フラグＦがセットされたか否かが判断され、判別された画像コマがフルサイズかパノラマサイズかを選別する。
　【００６５】
　ステツプ５２６でフルサイズと判別（Ｆ＝１）された場合は、ステツプ５２８でプリントマスク２０４のスクリーン２６２を巻き出して、フルサイズ用のマスク領域にセットし直す。次いでステツプ５３０では、ネガキャリア２２０の仕切板３４４を焼付開口から退避させ、フルサイズ用の焼付開口にセットし直す。次に、ステップ５３２へ移行して、レンズ２３７を駆動させてフルサイズ用（標準）倍率位置へセットし直し、ステップ５３４へ移行する。
　【００６６】
　また、ステツプ５２６でパノラマサイズと判別（Ｆ＝０）された場合は、ステップ５３６でプリントマスク２０４のスクリーン２６２を巻き取って、パノラマサイズ用のマスク領域にセットし直す。次いでステツプ５３８では、ネガキャリア２２０の仕切板３４４を焼付開口へ配置させ、パノラマサイズ用の焼付開口にセットし直す。次に、ステツプ５４０へ移行して、レンズ２３７を駆動させてパノラマサイズ用倍率位置へセットし直し、ステツプ５３４へ移行する。
　【００６７】
　ステツプ５３４では印画紙を異なるサイズ間（フルサイズ−パノラマサイズ又はパノラマサイズ−フルサイズ）で搬送し（搬送距離１．５Ｍ＋α）、ステツプ５１６へ移行する。
　【００６８】
　このように本実施例では、順次搬送されてくる縦横比の異なる画像コマの種類（フルサイズ又はパノラマサイズ）に応じて、焼付条件を変更して焼付けることができるので、ネガフィルム１２を再セットするような作業が不要で、１回のバッチ処理で１ロット（１ロール又は１本）のネガフイルム１２の焼付処理を行うことができる。従って、作業効率が良く、パノラマ専用のプリンタも不要となる。
　【００６９】
　なお、焼付位置に位置決めされた画像コマの測光による露光量に対する補正量は、ノッチャーパンチャ１８による検定で予めカラー補正量及び濃度補正量を定め、図９（Ａ）に示される如くメモリカード２２の各コマの領域に記憶させておく。すなわち、メモリカード２２には、各コマのコマ番号と必要に応じてカラー補正量と濃度補正量とが記憶されると共に前記フルサイズかパノラマサイズかを判別するデータが記録されている。この場合、判別する種類が２種類であるので、フルサイズの場合はデータが省略されている。
　【００７０】
　このメモリカード２２内の情報は、図９（Ｂ）に示される如く、それぞれのコマ毎の焼付条件（プリントマスク位置、ネガマスク位置、レンズ位置及び印画紙送り量）を記憶させておいてもよい。
　【００７１】
　なお、本実施例では、ネガフィルム１２の画像コマの種類をメモリカード２２に記録して、プリンタ２４でこのメモリカード２２の情報から画像コマの種類を判別したが、図１０に示される如く、ネガフィルム１２のベース部分に光学的マーク（バーコード３０又は露光マーク３２）等を付して、このマークを検出して、上記処理を行ってもよい。また、図１１に示される如く、受光器２５４で測光した濃度分布により、画像コマのエッヂ部分を検出し、このエッヂ部分の位置によってフルサイズかパノラマサイズかを判別してもよい。
　【００７２】
　　【発明の効果】
　以上説明した如く本発明に係る写真処理方法は、
フルサイズ
パノラマサイズ
【図面の簡単な説明】
　　【図１】
　本実施例の写真処理システムの概略図である。
　　【図２】
　フルサイズとパノラマサイズとが混在したネガフィルムの平面図である。
　　【図３】
　ノッチャーパンチャの斜視図である。
　　【図４】
　プリンタの概略構成図である。
　　【図５】
　プリントマスク部分の斜視図である。
　　【図６】
　ネガキヤリアの斜視図である。
　　【図７】
　印画紙における画像コマ間の搬送距離を示す平面図である。
　　【図８】
　本実施例に係る制御フローチヤートである。
　　【図９】
（Ａ）及び（Ｂ）はメモリカード内の記録領域を示すブロック図である。
　　【図１０】
　画像コマの種類の判別するマークが付されたネガフィルムの平面図である。
　　【図１１】
　受光器によって測光された画像コマ濃度分布特性図である。
　【符号の説明】
　１２　　ネガフィルム
　２２　　メモリカード
　２４　　プリンタ
　２８　　印画紙
　２０４　　プリントマスク
　２２０　　ネガキヤリア
　２３７　　レンズ
　２６０　　マスク板
　２６２　　スクリーン
　３４４　　仕切板
【図面】
訂正した図面の図１１
【図面１１】